(57)【特許請求の範囲】
【請求項１】
送出システムと送出端末を有するビデオサーバシステムにおいて、
前記送出端末は、主制御部と表示部とユーザインタフェース部を有し、
前記表示部は、編集素材の試写を行った後に前記ユーザインタフェース部から試写をおこなった編集素材に対応するＳＥＴボタンの押下が実行されないときには試写をおこなった編集素材のサブタイトルの表示文字色または背景色を試写をおこなった編集素材に対応するＳＥＴボタンの押下を実行した場合と異なる色で表示することを特徴とする送出端末。
【請求項２】
請求項１に記載の送出端末において、
前記表示部に表示する前記ＳＥＴボタンの押下が実行されないときには前記サブタイトルの表示文字または背景が点滅することを特徴とする送出端末。
【請求項３】
請求項１または請求項２に記載の送出端末において、
前記ユーザインタフェース部は、ＪＯＧコントローラであることを特徴とする送出端末。
【発明の詳細な説明】
【技術分野】
【０００１】
本発明は、ビデオサーバシステムにおける送出端末に関するものである。
【背景技術】
【０００２】
従来、放送素材の代表画像（静止画像）もしくは低レートで格納された各放送素材が配信サーバから汎用端末にネットワーク配信されることにより、汎用端末に配信されるデータ量はプレビュー専用端末に配信されるデータ量に比べて少なくしているものの、汎用端末で事前プレビューすることができる（例えば、特許文献１参照。）。
【先行技術文献】
【特許文献】
【０００３】
【特許文献１】特開２００７−６０２４０号公報
【発明の概要】
【発明が解決しようとする課題】
【０００４】
本発明の目的は、送出端末における試写時、ＳＥＴ操作を行わずに放送開始して、最終位置画像の静止画像状態を防ぐことにある。
【課題を解決するための手段】
【０００５】
本発明の送出端末は、送出システムと送出端末を有するビデオサーバシステムであって、  送出端末は主制御部と表示部とユーザインタフェース部を有し、表示部は試写後にユーザインタフェース部からＳＥＴ操作が実行されないときにはサブタイトルの表示文字色または背景色をＳＥＴ操作後と異なる色で表示することを特徴とする。
【０００６】
また、本発明の送出端末は、上述の送出端末であって、表示部に表示するＳＥＴ操作が実行されないときにはサブタイトルの表示文字または背景が点滅することを特徴とする。
【０００７】
さらに、本発明の送出端末は、上述の送出端末であって、ユーザインタフェース部はＪＯＧコントローラであることを特徴とする。
【発明の効果】
【０００８】
本発明によれば、送出端末における試写時にＳＥＴ操作を実行していない状況を表示画像で確認できることにより、ＳＥＴ操作を行わずに放送開始して最終位置画像の静止画像状態を防ぐことができる。
【図面の簡単な説明】
【０００９】
【図１】本発明の一実施例に係る送出端末を説明するためのビデオサーバシステムである。
【図２】本発明の一実施例に係る送出端末の動作を説明するための表示部の表示画面の図である。
【図３】ＪＯＧコントローラの概要を説明するための図である。
【発明を実施するための形態】
【００１０】
以下、本発明の実施形態について図面を参照して説明する。
図１は本発明の一実施例に係る送出端末を説明するためのビデオサーバシステムである。
図１において、ビデオサーバシステム１００は、送出システム１１０と送出端末１２０で構成されている。
【００１１】
送出システム１１０は、自動放送装置１１１、送出制御装置１１２、ビデオサーバ装置１１３で構成されている。
ビデオサーバ装置１１３は、多数の番組素材を適宜収録し、また、送出制御装置１１２の制御によりビデオサーバ装置１１３に収録された多数の番組素材が適宜読み出され、オンエアのために番組素材の送出をする働きをする。
【００１２】
自動放送装置１１１は、放送管理コンピュータとしての機能を有し、放送業務に関する全てのデータを管理する。その処理の一環として、例えば、１日分あるいは１週間分の放送プログラムに必要な複数の素材の放送スケジュールを、対応する素材のそれぞれが放送される順番に収録されている放送進行データとして保持する。このような内容が、例えば、日時毎に放送スケジュールとして前もって計画・作成され、自動放送装置１１１の所定の記録手段（図示せず。）に蓄積され、スケジュールにあわせて送出される。
【００１３】
さらに、自動放送装置１１１は、所定の放送スケジュール表に従って、まず、各々の素材の放送開始時刻の所定時間前になったとき、その素材の素材ＩＤ（素材に対する識別コード）を送出制御装置１１２に供給する。次に、各々の素材の放送開始時刻になったとき、その素材の放送開始命令を送出制御装置１１２に出力する。ビデオサーバ装置１１３は、磁気ディスク装置、光ディスク装置、ＤＶＤ（Digital  Versatile  Disk）装置等のランダムアクセスが可能な記録装置で構成され、放送プログラム１日分あるいは１週間分の素材を予め格納保持すると共に、送出制御装置１１２の制御のもとで動作するようになっている。したがって、送出制御装置１１２は、自動放送装置１１１から出力された素材ＩＤを用いてビデオサーバ装置１１３内の素材を検索し、キューアップ（放送開始可能状態にすること）し、素材の放送開始命令に応じて、順次、キューアップされた素材をビデオサーバ装置１１３から読み出して放送装置に送出する働きをする。このようにして、ビデオサーバシステム１００としての動作がなされる。
【００１４】
送出端末１２０は、主制御部１２１、表示部１２２、ユーザインタフェース部１３０で構成されている。
ユーザインタフェース部１３０は、ＵＩ（User  Interface）制御部１３１、タッチパネル１３２、キーボード１３３、ポインティングデバイス１３４、ＪＯＧコントローラ１３５等で構成されている。
ＵＩ制御部１３１は、タッチパネル１３２、キーボード１３３、ポインティングデバイス１３４、ＪＯＧコントローラ１３５等の入力機器を制御する。
【００１５】
主制御部１２１は、送出端末１２０の各構成要素を統括的に制御する。そして、各構成要素は、主制御部１２１を介して自動放送装置１１１により制御される。
表示部１２２は、放送業務の現在の進行状況や編集状況等を表示する。ここでは、メインディスプレイを想定する。現在放送している素材を含む番組（複数の素材の集合）の識別コード、番組名、放送開始時刻、素材の長さ、素材の識別コード等、現在放送中の素材のデータ及び次に放送する予定の素材のデータなどが表示される。したがって、表示部１２２を見ることにより、放送プログラムの編集状況の確認や、放送プログラムの進行状況の確認をすることができる。
【００１６】
ユーザインタフェース部１３０は、ユーザの操作を取得する機能として、ＵＩ制御部１３１と、タッチパネル１３２と、ポインティングデバイス１３４と、キーボード１３３とを備えている。タッチパネル１３２は、表示部１２２に一体に取り付けられ、ユーザのタッチパネル操作を実現する。ポインティングデバイス１３４は例えばマウスである。そして、ユーザは、タッチパネル１３２、ポインティングデバイス１３４、キーボード１３３、ＪＯＧコントローラ１３５等を用いて所望の操作を行う。なお、本実施形態ではタッチパネル１３２で表示部１２２に表示されるＵＩに対する全ての操作を実現することができるので、ポインティングデバイス１３４やキーボード１３３は省略することができる。
【００１７】
このような構成を採用することで、ビデオサーバシステム１００のビデオサーバ装置１１３には、各ユーザ等からのＣＭ素材、本編素材（ドラマや映画等の本放送素材をいう。）、静止画素材、音声素材、スーパー素材（スーパーインポーズ素材をいう。）等が別々の素材ＩＤとして登録され、放送スケジュール表に従って、送出制御装置１１２がビデオサーバ装置１００にアクセスし、放送スケジュール表に従ってオンエア（送出）する。
【００１８】
次に、ＪＯＧコントローラの概要について図３を用いて説明する。
図３はＪＯＧコントローラの概要を説明するための図である。
図３において、ＪＯＧコントローラ１３５は、シャトルダイヤル３０１と、ＳＥＴボタン３０２を含む複数のボタンで構成されている。
ユーザは、表示部１２２に表示された後述の表示画面２００を見ながら操作できる。
【００１９】
次に、本発明の一実施例に係る送出端末の動作について図２を用いて説明する。
図２は本発明の一実施例に係る送出端末の動作を説明するための表示部の表示画面の図である。
図２において、表示部１２２に表示する表示画面２００は、主に、タイトルエリア２１０、出力ポート状況エリア２２０、台本表示エリア２３０、台本表示操作エリア２４０、編済素材操作エリア２５０、リスト表示エリア２６０で構成されている。
【００２０】
タイトルエリア２１０は、現在時刻、番組名等が表示され、再編集ボタン等も有している。
出力ポート状況エリア２２０は、出力ポート編済映像のスタンバイ状況等が表示されるエリアであり、出力ポート状況表示２２１−１〜２２１−ｎが表示される。出力ポート状況表示２２１−１〜２２１−ｎには、サブタイトル２２４−１〜２２４−ｎが表示され、ＥＪＥＣＴボタン２２２−１〜２２２−ｎとＳＥＴボタン２２３−１〜２２３−ｎを有している。２２５−１〜２２５−ｎは背景色である。
台本表示エリア２３０は、電子台本が表示されるエリアである。
台本表示操作エリア２４０は、電子台本を操作するためのボタンが配置されているエリアである。
編済素材操作エリア２５０は、編済素材の操作（ポン出し送出ポート設定、ループ再生の設定、プロキシ試写画面への編済素材操作、CUEUP点変更等）が行われるエリアである。編済素材操作エリア２５０には、ＥＪＥＣＴボタン２５１と、ＳＥＴボタン２５２を有している。
リスト表示エリア２６０は、「日別通番カテゴリリスト」、「最新編済リスト」、「項目コード検索結果リスト」、「日別通番リスト」、「ビデオＩＤ選択リスト」等が表示されるエリアである。
【００２１】
次に、本発明の一実施例に係る送出端末の詳細な動作について説明する。
図２において、送出端末１２０は、ユーザが例えば、出力ポート状況表示２２１−ｎを選択し、編済素材操作エリア２５０のＳＥＴボタン２５２を押下すると、出力ポート状況表示２２１−ｎの編済素材の試写を開始する。送出端末１２０は、試写を開始すると、出力ポート状況表示２２１−ｎのサブタイトル２２４−ｎの表示文字色を例えば、青色から黄色に変更する。すなわち、送出端末１２０は、試写を開始すると、ＳＥＴ時の青色と異なる色である黄色に変更することで、再度、ＳＥＴボタン２２３−ｎを押下する必要があることをユーザに促すものである。
なお、送出端末１２０は、試写を開始すると、出力ポート状況表示２２１−ｎの背景色２２５−Ｎを例えば、変更してもよい。さらに、出力ポート状況表示２２１−ｎのサブタイトル２２４−ｎの表示文字や背景色２２５−Ｎの背景を点滅させてもよい。
【００２２】
本発明の実施形態である送出端末は、送出端末における試写時にＳＥＴ操作を実行していない状況を表示画像で確認できることにより、ＳＥＴ操作を行わずに放送開始して最終位置画像の静止画像状態を防ぐことができる。
【００２３】
以上本発明について詳細に説明したが、本発明は、ここに記載された送出端末に限定されるものではなく、上記以外の送出端末に広く適用することができることは言うまでもない。
【符号の説明】
【００２４】
１００：ビデオサーバシステム、１１０：送出システム、１１１：自動放送装置、１１２：送出制御装置、１１３：ビデオサーバ装置、１２０：送出端末、１２１：主制御部、１２２：表示部、１３０：ユーザインタフェース部、１３１：ＵＩ制御部、１３２：タッチパネル、１３３：キーボード、１３４：ポインティングデバイス、１３５：ＪＯＧコントローラ、２１０：タイトルエリア、２２０：出力ポート状況エリア、２３０：台本表示エリア、２４０：台本表示操作エリア、２５０：編済素材操作エリア、２６０：リスト表示エリア、２２１−１〜２２１−ｎ：出力ポート状況表示、２２２−１〜２２２−ｎ，２５１：ＥＪＥＣＴボタン、２２３−１〜２２３−ｎ，２５２：ＳＥＴボタン、２２４−１〜２２４−ｎ：サブタイトル、２２５−１〜２２５−ｎ：出力ポート状況表示。
【図１】
0006440257.tif 000002
【図２】
0006440257.tif 000003
【図３】
0006440257.tif 000004